(57)【要約】【課題】分割形成される各炎口部へ混合気を均等に供給する。【解決手段】淡バーナユニット２における均圧室１３内の空間を、淡炎口部１０に対応して長手方向に６等分される分割流路１６ａ〜１６ｆに分割形成し、分割流路１６ａ〜１６ｆのうち、ガス通路１２の接続側から遠い方に位置する４つの分割流路１６ａ〜１６ｄを同じ幅で最も広くし、ガス通路１２の接続側に近づくその隣の分割流路１６ｅをそれよりもやや狭い幅とし、ガス通路１２の接続側に最も近い端部の分割流路１６ｆを最も狭い幅として、淡炎口部１０への流量が均一となるように幅寸法を設定した。【選択図】  図２
2004271133.tif 000002
【特許請求の範囲】
【請求項１】
ガスと燃焼用空気とが供給される入口と、その入口から供給されたガスと燃焼用空気との混合気が通過するガス通路と、そのガス通路の下流側に接続され、長手方向へ複数に分割されて混合気を噴出可能な炎口部とからなる偏平状のガスバーナであって、
前記ガス通路における前記各炎口部の上流側に、前記各炎口部に対応して長手方向で分割された分割流路を形成し、その分割流路の短手方向の幅を、各炎口部への流量が均一となるように各分割流路ごとに設定したことを特徴とするガスバーナ。
【発明の詳細な説明】
【０００１】
【発明の属する技術分野】
本発明は、給湯器等のガス燃焼器具に用いられるガスバーナに関する。
【０００２】
【従来の技術】
ガスバーナは、図３に示すように、ガスと共に燃焼用空気が供給される側方の入口２１と、入口２１から供給されたガスと燃焼用空気との混合気が通過するＵ字状のガス通路２３と、混合気が噴出される上方の出口２２とを備え、一対の板金によるプレス成形及びスポット溶接やカシメ接合等によって偏平状に形成される。また、出口２２内には、複数の板金を厚み方向に接合し、長手方向へ均等に分割されるスリット状の炎口部を形成する図示しない炎口ユニットが収容固定される形態も知られている（例えば特許文献１）。
【０００３】
このようなガスバーナ２０においては、ガス通路２３の上部を、上方へ行く程開口が広がって出口２２に連続する均圧室２４とする場合があるが、この場合、ガス通路２３の上部から出口２２内で分割される各炎口部までの距離が等しくならず、各炎口部への混合気量が不均等になりやすい。よって、均圧室２４におけるガス通路の上部から遠い側の横断面形状を、ガス通路から遠ざかるに従って徐々に幅広となるテーパ状に形成して、各炎口部への混合気量の均等化を図るようにしている。
【０００４】
【特許文献１】
特開２００１−１８２９１０号公報
【０００５】
【発明が解決しようとする課題】
しかし、このようなテーパ状は、寸法管理が難しく、製品ごとにばらつきが生じやすい。また、長手方向で炎口幅が一定であることに対してテーパ状の通路で対応する格好であるから、混合気量の均等化が確実に行われないという問題もあった。
【０００６】
そこで、請求項１に記載の発明は、より簡単な構成で、分割形成される各炎口部へ混合気を確実に均等供給できるガスバーナを提供することを目的としたものである。
【０００７】
【課題を解決するための手段】
上記目的を達成するために、請求項１に記載の発明は、ガス通路における前記各炎口部の上流側に、前記各炎口部に対応して長手方向で分割された分割流路を形成し、その分割流路の短手方向の幅を、各炎口部への流量が均一となるように各分割流路ごとに設定したことを特徴とするものである。
【０００８】
【発明の実施の形態】
以下、本発明の実施の形態を図面に基づいて説明する。
図１は、本発明のガスバーナの一例である濃淡バーナの分解斜視図で、濃淡バーナ１は、理論空燃比より燃料の希薄な混合気で主炎を、理論空燃比より燃料の濃い混合気で袖火を形成することで、ＮＯｘ排出量の低減を図るもので、主炎を形成する淡炎口部を備えた淡バーナユニット２と、袖火を形成する濃炎口部を備えた濃バーナユニット３とからなる。具体的には、プレス成形した二枚の板金４，４をスポット溶接及びカシメ接合して形成され、上部に後述する炎口ユニット９を収容してなる淡バーナユニット２の上部に、同じく板金５によるプレス成形によって上端の連結片６，６を残して上方が開口される濃バーナユニット３を両側から挟み込んでスポット溶接することで、全体が偏平状に形成される。
【０００９】
淡バーナユニット２は、左右の板金４，４に形成した凹凸によって、図２にも示すように、下側側縁に淡ガス入口７が、上側端縁に出口８が夫々開口形成され、出口８内には、所定間隔をおいて厚み方向に接合された複数の板金からなる炎口ユニット９が収容固定されて、出口８の上端に長手方向へ６分割される淡炎口部１０，１０・・を開口させている。なお、濃炎口部１１は、濃バーナユニット３の組み付けによって淡バーナユニット２との間で左右両側に形成されて、各連結片６によって淡炎口部１０の位置に合わせて同様に長手方向で６分割される。
【００１０】
また、淡バーナユニット２における淡ガス入口７と出口８との間には、Ｕ字状のガス通路１２が横向きに形成されて、下端を淡ガス入口７に、上端を出口８に夫々接続させているが、ガス通路１２と出口８との接続部分は、上方へ行く程長手方向の寸法が長くなるテーパ状の均圧室１３が形成されて、ガス通路１２の上端から出口８の全体への混合気の供給を図っている。同様に濃バーナユニット３においても、淡バーナユニット２の左右に、濃ガス入口１４と、濃ガス入口１４と濃炎口部１１とを接続するガス通路１５とを夫々形成している。
【００１１】
一方、淡バーナユニット２における均圧室１３内の空間は、図２に示すように、左右の板金４，４に形成した凹凸により、淡炎口部１０に対応して長手方向に６等分される分割流路１６ａ〜１６ｆに分割形成されて、夫々の分割流路１６ａ〜１６ｆが、その下流側（図１，２での真上側）に位置する淡炎口部１０に対向するようになっている。
この分割流路１６ａ〜１６ｆは、出口８へのガス通路１２の接続側（右側）から遠い方に位置する４つの分割流路１６ａ〜１６ｄが同じ幅（ここでは２．０ｍｍ）で、ガス通路１２の接続側に近づくその隣の分割流路１６ｅがそれよりもやや狭い幅（ここでは１．５ｍｍ）で、ガス通路１２の接続側に最も近い端部の分割流路１６ｆが最も狭い幅（ここでは１．０ｍｍ）となるように、ガス通路１２からの距離に応じて幅寸法を変更している。
【００１２】
以上の如く構成された濃淡バーナ１においては、淡ガス入口７に臨ませた図示しないガスノズルからガスを噴出すると、燃焼用空気と共に淡ガス入口７に供給され、混合気となってガス通路１２内から均圧室１３に流れ、均圧室１３を通って出口８内の淡炎口部１０，１０・・から噴出し、出口８の近傍に配置された図示しない着火手段（放電電極等）によって着火され、主炎として燃焼する。なお、濃バーナユニット３においては、濃ガス入口１４，１４に臨ませたガスノズルからガスを噴出すると、混合気がガス通路１５，１５を通って左右の濃炎口部１１，１１・・から噴出し、淡炎口部１０，１０・・からの主炎の両側で袖火として燃焼する。
【００１３】
この燃焼時に、淡バーナユニット２において均圧室１３を通る混合気は、分割流路１６ａ〜１６ｆによって等分に分割されて夫々下流側で対応する各淡炎口部１０へ流れることとなるため、ガス通路１２からの距離にかかわらず混合気は各淡炎口部１０へ確実に均等供給される。よって、淡炎口部１０，１０・・での主炎の燃焼が安定する。
また、各分割流路１６ａ〜１６ｆは個々には同じ幅で形成される単純な構造であるから、寸法管理も容易となり、製品ごとのばらつきも生じにくい。
【００１４】
なお、上記形態では、淡炎口部の両側に濃炎口部が形成される濃淡バーナで説明しているが、このような濃淡バーナに限らず、主炎口部のみが形成される通常のガスバーナであっても、分割形成される主炎口部に合わせた分割流路の形成とその幅設定とを行えば、同様の作用効果が得られる。
また、ガス入口と炎口部とがＵ字状のガス通路で接続されるガスバーナに限らず、下端に設けた入口と上方の炎口部とを接続する直線状のガス通路であっても、本発明は同様に適用可能である。すなわち、ガス通路に近い中央側の炎口部に対応する分割流路の幅を狭くし、ガス通路から遠い左右側の炎口部に対応する分割流路の幅を広くする等の設定をすれば良い。
【００１５】
また、分割流路の分割数も、上記形態に限らず、炎口部の分割数に合わせて適宜増減可能で、分割流路を形成する構造も、上記形態のようなプレス成形によるもの以外に、別体の仕切壁やブロック体等で区画形成したり、予め分割流路が形成されたユニットを均圧室内に組み込んだりする構造等が採用できる。
【００１６】
【発明の効果】
請求項１に記載の発明によれば、ガス通路における各炎口部の上流側に、各炎口部に対応して長手方向で分割された分割流路を形成し、その分割流路の短手方向の幅を、各炎口部への流量が均一となるように各分割流路ごとに設定したことで、ガス通路を流れる混合気は、分割流路によって等分に分割されて夫々下流側で対応する炎口部へ流れることとなる。よって、ガス通路からの距離にかかわらず混合気は各炎口部へ確実に均等供給され、炎口部での炎の燃焼が安定する。
また、各分割流路自体は同じ幅で形成される単純な構造であるから、寸法管理も容易となり、製品ごとのばらつきも生じにくい。
【図面の簡単な説明】
【図１】濃淡バーナの分解斜視図である。
【図２】淡バーナユニットの説明図で、上がＡ−Ａ線断面、中が出口を上から見た平面、下が正面を夫々示す。
【図３】従来の淡バーナユニットの説明図で、上がＢ−Ｂ線断面、中が出口を上方から見た平面、下が正面を夫々示す。
【符号の説明】
１・・濃淡バーナ、２・・淡バーナユニット、３・・濃バーナユニット、７・・淡ガス入口、８・・出口、１０・・淡炎口部、１１・・濃炎口部、１２，１５・・ガス通路、１３・・均圧室、１６ａ〜１６ｆ・・分割流路。
【図１】
2004271133.tif 000003
【図２】
2004271133.tif 000004
【図３】
2004271133.tif 000005